(57)【要約】  本発明は、ＬＥＤ取付マウント、前記ＬＥＤ取付マウントを含む調整機構及び前記調整機構を含むレッドドットサイトを提供する。ＬＥＤ取付マウントは、スライダーベース（１）と、前端面の中央部にＬＥＤチップ（２０）が取り付けられるベース（２）を含む。スライダーベース（１）の前端面には、スライダーベース（１）の長手方向に平行なシュート（３）が設置され、且つ、前記シュート（３）の一端が閉塞端であり、他端が開放端である。前記ベース（２）をシュート（３）に配置すると、前記ベース（２）の前端面がスライダーベース（１）の前端面と面一をなす。
2021528623.tif 000002
【特許請求の範囲】
【請求項１】
ＬＥＤ取付マウントであって、
スライダーベース（１）と、
前端面にＬＥＤチップ（２０）が取り付けられるベース（２）と、を含み、
前記ベース（２）は、前記スライダーベース（１）の前端面に配置されるとともに、係合機構により前記スライダーベース（１）の長手方向に沿って往復移動する
ことを特徴とするＬＥＤ取付マウント。
【請求項２】
前記係合機構は、前記スライダーベース（１）の前端面に設置されるとともに、前記スライダーベース（１）の長手方向に平行なシュート（３）であり、
前記シュート（３）は、一端が閉塞端であり、他端が開放端であり、
前記ベース（２）を前記シュート（３）に配置すると、前記ベース（２）の前端面が前記スライダーベース（１）の前端面と面一をなす
ことを特徴とする請求項１に記載のＬＥＤ取付マウント。
【請求項３】
前記ベース（２）の一端と前記閉塞端との間には、復帰コイルバネ（１０）が設置される
ことを特徴とする請求項２に記載のＬＥＤ取付マウント。
【請求項４】
前記シュート（３）の内端面（３−０）には、前記シュート（３）の長手方向に沿って均一に設けられる少なくとも２つのブラインドホール（４）が設置され、
前記ブラインドホール（４）内には、押圧機構Ｉが取り付けられ、
前記押圧機構Ｉは、内側から外側に向って前記ブラインドホール（４）に順次に取り付けられるコイルバネ（５）と、中空の係止キャップ（６）と、前記中空の係止キャップ（６）の前端の出口の内径よりも大きい半径を有するスチールボール（７）と、を含み、
前記スチールボール（７）は、前記中空の係止キャップ（６）の後端から前記中空の係止キャップ（６）に入った後、前記コイルバネ（５）により前記中空の係止キャップ（６）の前端の出口に当接し、
前記スチールボール（７）の球面の一部が前記中空の係止キャップ（６）の前端の出口の外側に露出されることによって、前記ベース（２）の後端面に当接するようになり、
前記ベース（２）の上面には、前記ベース（２）の長手方向に沿って均一に設けられる少なくとも２つの凹溝（８）が設置され、
前記凹溝（８）には、前記押圧機構Ｉと同一の構造を有する押圧機構IIが取り付けられ、
前記押圧機構IIは、前記ベース（２）の上面に対向するシュート（３）の内側の上面に当接されて押圧するためのものである
ことを特徴とする請求項２又は３に記載のＬＥＤ取付マウント。
【請求項５】
前記シュート（３）の長手方向には、内側凹部（１７）が設置され、
前記内側凹部（１７）は、前記スライダーベース（１）の上面から下側に向いて前記スライダーベース（１）の底面まで延び、
前記ベース（２）の底面には、長手方向に沿って配列される２つの位置決めピン（１８）が設置され、
前記位置決めピン（１８）は、下側に向いて前記内側凹部（１７）の下側エッジまで延びることによって、前記ベース（２）が前記シュート（３）内において左右に移動する距離を制限する
ことを特徴とする請求項４に記載のＬＥＤ取付マウント。
【請求項６】
前記係合機構は、前記スライダーベース（１）の前端面に設置されるとともに、前記スライダーベース（１）の長手方向に平行なベース用ブラインドホール（２１）であり、
前記ベース用ブラインドホール（２１）の前端面には、前記ベース用ブラインドホール（２１）に挿入される前記ベース（２）の前端面にＬＥＤチップを取り付けるための切欠部（２２）が設置される
ことを特徴とする請求項１に記載のＬＥＤ取付マウント。
【請求項７】
前記ベース（２）の一端と前記ベース用ブラインドホール（２１）の末端との間には、復帰コイルバネ（１０）が設置される
ことを特徴とする請求項６に記載のＬＥＤ取付マウント。
【請求項８】
前記ベース（２）の後端面には、前記後端面に垂直な円柱ピン（２３）が設置され、
前記円柱ピン（２３）に対応する前記ベース用ブラインドホール（２１）の内側壁には、前記円柱ピン（２３）を往復移動させるための溝部（２４）が設置される
ことを特徴とする請求項６又は７に記載のＬＥＤ取付マウント。
【請求項９】
請求項３又は７に記載のＬＥＤ取付マウントを含む調整機構であって、
前記スライダーベース（１）の上面には、接続線により矩形をなす４つの位置規制ブラインドホール（１１）及び前記矩形の中心に設置されるネジ穴（１２）が設置され、
前記スライダーベース（１）の上面に垂直な垂直調整用ネジ（１３）がネジ穴（１２）にネジ接続され、
前記位置規制ブラインドホール（１１）内には、前記スライダーベース（１）の上面に平行な端面を有する垂直コイルバネが設置され、
前記ベース（２）の他端には、水平調整部材が設置され、
前記水平調整部材は、水平ネジ（１４）と、前記水平ネジ（１４）にネジ接続される上部ブロック（１５）と、を含み、
前記上部ブロック（１５）は、前記ベース（２）の他端と前記水平ネジ（１４）との間に配置され、
前記水平ネジ（１４）のスクリューは、前記ベース（２）の他端に垂直になる
ことを特徴とする調整機構。
【請求項１０】
請求項４に記載のＬＥＤ取付マウントを含む調整機構であって、
前記スライダーベース（１）の上面には、接続線により矩形をなす４つの位置規制ブラインドホール（１１）及び前記矩形の中心に設置されるネジ穴（１２）が設置され、
前記スライダーベース（１）の上面に垂直な垂直調整用ネジ（１３）がネジ穴（１２）にネジ接続され、
前記位置規制ブラインドホール（１１）内には、前記スライダーベース（１）の上面に平行な端面を有する垂直コイルバネが設置され、
前記ベース（２）の他端には、水平調整部材が設置され、
前記水平調整部材は、水平ネジ（１４）と、前記水平ネジ（１４）にネジ接続される上部ブロック（１５）と、を含み、
前記上部ブロック（１５）は、前記ベース（２）の他端と前記水平ネジ（１４）との間に配置され、
前記水平ネジ（１４）のスクリューは、前記ベース（２）の他端に垂直になる
ことを特徴とする調整機構。
【請求項１１】
請求項５に記載のＬＥＤ取付マウントを含む調整機構であって、
前記スライダーベース（１）の上面には、接続線により矩形をなす４つの位置規制ブラインドホール（１１）及び前記矩形の中心に設置されるネジ穴（１２）が設置され、
前記スライダーベース（１）の上面に垂直な垂直調整用ネジ（１３）が前記ネジ穴（１２）にネジ接続され、
前記位置規制ブラインドホール（１１）内には、前記スライダーベース（１）の上面に平行な端面を有する垂直コイルバネが設置され、
前記ベース（２）の他端には、水平調整部材が設置され、
前記水平調整部材は、水平ネジ（１４）と、前記水平ネジ（１４）にネジ接続される上部ブロック（１５）と、を含み、
前記上部ブロック（１５）は、前記ベース（２）の他端と前記水平ネジ（１４）との間に配置され、
前記水平ネジ（１４）のスクリューは、前記ベース（２）の他端に垂直になる
ことを特徴とする調整機構。
【請求項１２】
請求項９に記載の調整機構を含むレッドドットサイトであって、
前記レッドドットサイトは、サポートベース（１６）を含み、
前記調整機構は、前記サポートベース（１６）の後端に設けられるチャンバー（１９）に取り付けられ、
前記ベース（２）の前端面は、押圧機構Ｉによって前記チャンバー（１９）の前端面に当接し、
前記水平ネジ（１４）は、前記チャンバー（１９）の一側の外側から前記チャンバー（１９）内まで延びるとともに、前記チャンバー（１９）に配置される上部ブロック（１５）にネジ接続され、
前記垂直調整用ネジ（１３）は、前記チャンバー（１９）の上部の外側から内側に向いて前記チャンバー（１９）内まで延びるとともに、前記ネジ穴（１２）にネジ接続される
ことを特徴とするレッドドットサイト。
【請求項１３】
請求項１０に記載の調整機構を含むレッドドットサイトであって、
前記レッドドットサイトは、サポートベース（１６）を含み、
前記調整機構は、前記サポートベース（１６）の後端に設けられるチャンバー（１９）に取り付けられ、
前記ベース（２）の前端面は、押圧機構Ｉによって前記チャンバー（１９）の前端面に当接し、
前記水平ネジ（１４）は、前記チャンバー（１９）の一側の外側から前記チャンバー（１９）内まで延びるとともに、前記チャンバー（１９）に配置される上部ブロック（１５）にネジ接続され、
前記垂直調整用ネジ（１３）は、前記チャンバー（１９）の上部の外側から内側に向いて前記チャンバー（１９）内まで延びるとともに、前記ネジ穴（１２）にネジ接続される
ことを特徴とするレッドドットサイト。
【請求項１４】
請求項１１に記載の調整機構を含むレッドドットサイトであって、
前記レッドドットサイトは、サポートベース（１６）を含み、
前記調整機構は、前記サポートベース（１６）の後端に設けられるチャンバー（１９）に取り付けられ、
前記ベース（２）の前端面は、押圧機構Ｉによって前記チャンバー（１９）の前端面に当接し、
前記水平ネジ（１４）は、前記チャンバー（１９）の一側の外側から前記チャンバー（１９）内まで延びるとともに、前記チャンバー（１９）に配置される上部ブロック（１５）にネジ接続され、
前記垂直調整用ネジ（１３）は、前記チャンバー（１９）の上部の外側から内側に向いて前記チャンバー（１９）内まで延びるとともに、前記ネジ穴（１２）にネジ接続される
ことを特徴とするレッドドットサイト。
【請求項１５】
サポートベース（１６）と、前記サポートベース（１６）の後端に設けられるチャンバー（１９）に取り付けられるＬＥＤ取付マウントとを含むレッドドットサイトであって、
前記ＬＥＤ取付マウントは、スライダーベース（１）と、前端面にＬＥＤチップ（２０）が取り付けられるベース（２）とを含み、
前記チャンバー（１９）の末端の左右の角部のそれぞれには、ネジ穴（２４）が設置され、
前記ネジ穴（２４）内には、ボルト（２５）が取り付けられ、
前記ボルト（２５）のボルトヘッドには、前記ボルト（２５）と同軸である接続ネジ穴（２６）が設置され、
前記ボルト（２５）のボルトヘッドのエッジが前記スライダーベース（１）の底面の内側まで延びることにより、前記スライダーベース（１）に対する係止を実現する
ことを特徴とするレッドドットサイト。
【請求項１６】
前記垂直調整用ネジ（１３）のネジの末端の円周方向の側壁には、環状凹溝が設置され、
Ｕ字型位置規制シート（２３）を前記環状凹溝に係合させることにより、前記スライダーベース（１）に対する係止を実現する
ことを特徴とする請求項９に記載のＬＥＤ取付マウントの調整機構。
【発明の詳細な説明】
【技術分野】
【０００１】
本発明は、ＬＥＤ取付マウント、前記ＬＥＤ取付マウントを含む調整機構及び前記調整機構を含むレッドドットサイト（Ｒｅｄ  Ｄｏｔ  Ｓｉｇｈｔ）に関する。
【背景技術】
【０００２】
従来のレッドドットサイトにおけるＬＥＤチップは、サポートベースの後端に位置するチャンバー内に取り付けられており、垂直又は水平調整用ネジを利用してＬＥＤチップの取付マウントの位置に対する調整を実現するが、調整過程において、バネ同士の相互干渉によって単一方向に調整する時に取付マウントが歪むので、調整の精度及び効率が低下してしまう場合が多い。
【０００３】
上記の欠陥は、ＬＥＤチップの位置調整ユニットが複数の部材から構成され、垂直と水平方向における位置に対する調整が復帰バネからの干渉を受けることが主な要因である。
【発明の概要】
【発明が解決しようとする課題】
【０００４】
本発明は、従来のレッドドットサイトに存在する光源の出射方向に対する調整の効率が低く、精度が悪く、信頼性が低いという問題を克服することを目的とする。
【課題を解決するための手段】
【０００５】
本発明は、上記の目的を達成するために、スライダーベースと、前端面にＬＥＤチップが取り付けられるベースとを含むＬＥＤ取付マウントを提供する。前記ベースは、スライダーベースの前端面に配置され、且つ、係合機構により前記ベースを前記スライダーベースの長手方向に沿って往復移動させる。
【０００６】
前記係合機構は、前記スライダーベースの前端面に設置されるとともに、前記スライダーベースの長手方向に平行なシュートであり、且つ、前記シュートは、一端が閉塞端であり、他端が開放端である。
【０００７】
前記ベースを前記シュートに配置する場合、前記ベースの前端面と前記スライダーベースの前端面が面一をなす。
前記ベースの一端と前記閉塞端との間には、復帰コイルバネが設置される。
【０００８】
前記シュートの内端面には、シュートの長手方向に沿って均一に設けられる少なくとも２つのブラインドホールが設置され、前記ブラインドホールには、押圧機構Ｉが取り付けられている。
【０００９】
前記押圧機構Ｉは、ブラインドホールの内側から外側に向って順次にブラインドホールに取り付けられるコイルバネと、中空の係止キャップと、前記中空の係止キャップの前端の出口の内径よりも大きい半径を有するスチールボールと、を含む。前記スチールボールは、中空の係止キャップの後端から前記中空の係止キャップ内に入った後、コイルバネにより前記中空の係止キャップの前端の出口に当接し、且つ、前記スチールボールの球面の一部が前記中空の係止キャップの前端の出口の外側に露出されることによって、前記ベースの後端面に当接される。
【００１０】
前記ベースの上面には、ベースの長手方向に沿って均一に配置される少なくとも２つの凹溝が設置され、前記凹溝内には、前記押圧機構Ｉと同一の構造を有する押圧機構IIが取り付けられており、前記押圧機構IIは、前記ベースの上面に対向するシュートの内側の上面に当接されて押圧するためのものである。
【００１１】
前記シュートの長手方向には、内側凹部が設置され、且つ、前記内側凹部は、スライダーベースの上面から下側に向いて前記スライダーベースの底面まで延びる。
前記ベースの底面には、長手方向に沿って配列される２つの位置決めピンが設置され、且つ、前記位置決めピンは、下側に向いて前記内側凹部の下側エッジまで延びることによって、シュート内において左右に移動する前記ベースの距離を制限する。
【００１２】
前記係合機構は、前記スライダーベースの前端面に設置されるとともに、前記スライダーベースの長手方向に平行なベース用ブラインドホールであり、また、前記ベース用ブラインドホールの前端面には、前記ベース用ブラインドホールに挿入される前記ベースの前端面にＬＥＤチップを容易に取り付けるための切欠部が設置される。
【００１３】
前記ベースの一端と前記ベース用ブラインドホールの末端との間には、復帰コイルバネが設置される。
前記ベースの後端面には、前記後端面に垂直な円柱ピンが設置され、前記円柱ピンに対応する前記ベース用ブラインドホールの内側壁には、前記円柱ピンを往復移動させるための溝部が設置される。
【００１４】
上記のＬＥＤ取付マウントを含む調整機構を提供する。スライダーベースの上面には、接続線により矩形をなす４つの位置規制ブラインドホールと、前記矩形の中心に設置されるネジ穴と、が設置され、前記スライダーベースの上面に垂直な調整用ネジが前記ネジ穴にネジ接続される。
【００１５】
位置規制ブラインドホールには、前記スライダーベースの上面に平行な端面を有する垂直コイルバネが設置される。
ベースの他端には、水平調整部材が設置され、前記水平調整部材は、水平ネジと、前記水平ネジにネジ接続される上部ブロックと、から構成され、前記上部ブロックは、前記ベースの他端と前記水平ネジとの間に配置され、水平ネジのスクリューが前記ベースの他端に垂直になる。
【００１６】
上記の調整機構を含むレッドドットサイトを提供する。前記レッドドットサイトは、サポートベースを含み、前記調整機構は、前記サポートベースの後端に位置するチャンバー内に取り付けられる。
【００１７】
ベースの前端面は、押圧機構Ｉによってチャンバーの前端面に当接し、水平ネジは、前記チャンバーの一側の外側から前記チャンバー内まで延びるとともに、前記チャンバー内に配置された上部ブロックにネジ接続される。
【００１８】
垂直調整用ネジは、前記チャンバーの上部の外側から内側に向いて前記チャンバー内まで延びるとともに、ネジ穴にネジ接続される。
サポートベースと、前記サポートベースの後端に位置するチャンバーに取り付けられるＬＥＤ取付マウントとを含むレッドドットサイトを提供する。前記ＬＥＤ取付マウントは、スライダーベースと、前端面にＬＥＤチップが取り付けられるベースと、を含む。
【００１９】
前記チャンバーの末端の左右の角部のそれぞれには、ネジ穴が設置され、前記ネジ穴内には、ボルトが取り付けられ、且つ、前記ボルトのボルトヘッドには、前記ボルトと同軸である接続ネジ穴が設置される。
【００２０】
前記ボルトのボルトヘッドのエッジが前記スライダーベースの底面の内側まで延びることにより、スライダーベースに対する係止を実現する。
前記垂直調整用ネジのネジの末端の円周方向の側壁には、環状凹溝が設置され、Ｕ字型位置規制シートを前記環状凹溝に係合させることにより、スライダーベースに対する係止を実現する。
【発明の効果】
【００２１】
本発明の利点は、以下の通りである。ＬＥＤ取付マウントは、部材の数が少なく、モジュール化設計をでき、よりコンパクトになり、部品の隙間による影響が小さくなる。調整機構全体の構造が簡単になり、バネの干渉からの影響が解消され、歪み現象が存在しないので、精度が高く、組立て速度が速くなり、信頼性が向上される。レッドドットサイトの光の出射方向が正確になり、調整が速く、精度が高い。上下及び左右の二次元方向において調整する時に発生する合力を単一方向に分解させることができる。異なる方向に生成されたバネの弾性力の合力による摩擦力の増加を除去し、そして、公差の伝達による部品間の隙間が調整機構の精度や干渉現象や信頼性へ及ぼす影響を除去することができる。２つの方向において調整する時に起きる歪み及び係合いによる停滞現象が存在しない。また、調整の限界位置に位置規制装置を追加することによって、過度な調整による部品の損傷を防ぐことができる。これにより、レッドドットサイトのＬＥＤ調整機構の位置決め精度及び信頼性を向上させるとともに、部品加工の難しさを低下させ、生産効率を向上させることができる。
【００２２】
以下、図面及び実施例を併せて本発明を詳細に説明する。
【図面の簡単な説明】
【００２３】
【図１】係合機構がベース用ブラインドホールであるＬＥＤ取付マウント用調整機構の構造の分解模式図である。
【図２】係合機構がシュートであるＬＥＤ取付マウント用調整機構の構造の分解模式図である。
【図３】隙間除去機構を含むＬＥＤ取付マウント用調整機構の構造を示す模式図である。
【図４】ＬＥＤ取付マウント用調整機構の凹溝の設置を示す模式図である。
【図５】ベースの他端に設置される位置規制ピン及び復帰コイルバネを示す模式図である。
【図６】係合機構がシュートであるＬＥＤ取付マウント用調整機構が組み立てられた後の模式図である。
【図７】レッドドットサイトの構造を示す模式図である。
【図８】Ｕ字型位置規制シートの設置を示す模式図である。
【図９】ＬＥＤ取付マウントの底部の固定を示す模式図である。
【発明を実施するための形態】
【００２４】
本実施例は、従来のレッドドットサイトに存在する光源の出射方向に対する調整の効率が低く、精度が悪く、信頼性が低いという問題を克服するために、ＬＥＤ取付マウントを提供する。具体的に、図１を参照すると、前記ＬＥＤ取付マウントは、スライダーベース１と、前端面にＬＥＤチップ２０が取り付けられるベース２（ネジを介してＬＥＤチップ２０をベース２に取り付け、そして、ネジを利用してＬＥＤチップ２０に対する微調整を実現する。これにより、ＬＥＤチップ２０の取付精度を確保することができる。）と、を含む。また、前記ベース２は、スライダーベース１の前端面に配置される。また、係合機構によって、前記ベース２をスライダーベース１の長手方向に沿って往復移動させる。
【００２５】
図１から分かるように、係合機構は、スライダーベース１の前端面に設置されるとともに、前記スライダーベース１の長手方向に平行なベース用ブラインドホール２１である。また、前記ベース用ブラインドホール２１の前端面には、切欠部２２が設置される。前記切欠部２２は、前記ベース用ブラインドホール２１に挿入される前記ベース２の前端面にＬＥＤチップ２０を容易に取り付けるためのものである。ベース２の一端とベース用ブラインドホール２１の末端との間には、復帰コイルバネ１０が設置される。
【００２６】
ベース２の後端面には、当該後端面に垂直な円柱ピン２３が設置されている。円柱ピン２３に対応する前記ベース用ブラインドホール２１の内側壁には、前記円柱ピン２３を往復移動させるための溝部２４が設置されている。
【００２７】
図２、図３から分かるように、係合機構は、スライダーベース１の前端面に設置されるとともに、スライダーベース１の長手方向に平行なシュート３である。また、前記シュート３の一端が閉塞端であり、他端が開放端である。ベース２をシュート３に配置させると、前記ベース２の前端面とスライダーベース１の前端面が面一をなす。ベース２の一端とシュート３の閉塞端との間には、復帰コイルバネ１０が設置される。これにより、このような取付マウントの部品の数が大幅に削減され、且つ、シュート３によりベース２とスライダーベース１との組立を実現することによって、ベース２が左右に移動する時、他の外力からの干渉を受けないことを確保するので、調整の安定性、信頼性及び精度を向上させることができる。
【００２８】
同時に、組立隙間をさらに低減するために、本実施例におけるシュート３は、図３に示すように、その内端面３−０には、シュート３の長手方向に沿って均一に設置される少なくとも２つのブラインドホール４が設置される。前記ブラインドホール４には、押圧機構Ｉが取り付けられる。前記押圧機構Ｉは、図３に示すように、内側から外側に向ってブラインドホール４に順次に取り付けられるコイルバネ５と、中空の係止キャップ６と、前記中空の係止キャップ６の前端の出口の内径よりも大きい半径を有するスチールボール７とを含む。前記スチールボール７は、中空の係止キャップ６の後端から前記中空の係止キャップ６に入った後、コイルバネ５により前記中空の係止キャップ６の前端の出口に当接される。そして、前記スチールボール７の球面の一部が前記中空の係止キャップ６の前端の出口の外部に露出されることによって、ベース２の後端面に当接することができる。これにより、ベース２が常に当接力を受けることを確保するので、図５に示す押圧コイルバネによってベース２の前端面をチャンバー１９の前端面に当接させることができる。したがって、従来技術のバネの垂直方向における干渉によってＬＥＤ取付マウントがずれて、調整の精度及び信頼性に影響を与えるという問題を効果的に克服することができる。
【００２９】
図３を参照すると、ベース２の上面には、ベース２の長手方向に沿って均一に配置される少なくとも２つの凹溝８が設置されている。前記凹溝８には、押圧機構Ｉと同じ構造を有する押圧機構IIが取り付けられている。前記押圧機構IIは、ベース２の上面に対向するシュート３の内側上面に当接されて押圧するためのものである。このようにして、ベース２を左右に調整する過程において常に下側に向く圧力を受けることを確保するので、隙間の影響による調整偏差を効果的に回避するとともに、調整の安定性、信頼性及び精度を向上させることができる。
【００３０】
ベース２の一端面には、当該端面から突出される位置規制ピン９（図５から明確に分かる。）が設置されている。ベース２の一端と閉塞端との間には、復帰コイルバネ１０が設置される。前記復帰コイルバネ１０は、一端が閉塞端の内側面に当接されて押圧し、他端が位置規制ピン９に外嵌されるとともに、ベース２の一端面に当接される。前記復帰コイルバネ１０によって、ＬＥＤの取付位置の水平調整に寄与し、組立隙間を効果的に解消することを実現することができる。
【００３１】
本実施例において、ベース２の水平方向における左右位置に対する調整を効果的に限定するために、図４に示す内側凹部１７がシュート３の長手方向に沿って設置されている。また、前記内側凹部１７は、スライダーベース１の上面から下側に向いて前記スライダーベース１の底面まで延びる。ベース２の底面には、図７に示すように、長手方向に沿って配列される２つの位置決めピン１８が設置されている。また、前記位置決めピン１８は、下側に向いて内側凹部１７の下側エッジまで延びることによって、ベース２がシュート３内において左右に移動する距離を制限することができる。
【００３２】
本実施例は、図１、図２、図３、図４、図６に示すように、上記の様々なＬＥＤ取付マウントを含む調整機構を提供する。スライダーベース１の上面には、接続線により矩形をなす４つの位置規制ブラインドホール１１及び前記矩形の中心部に設置される１つのネジ穴１２が設置されている（接続線は、位置規制ブラインドホール１１の中心を接続した線である。）。前記スライダーベース１の上面に垂直な垂直調整用ネジ１３がネジ穴１２にネジ接続される。
【００３３】
図８を参照すると、本実施例は、垂直調整用ネジ１３がネジ穴１２を介してスライダーベース１に強固に接続されることを確保するために、垂直調整用ネジ１３のネジの末端、即ちネジ穴１２を介してスライダーベース１の底面にねじ込まれる一端の円周方向の側壁には、環状凹溝が設置されている。Ｕ字型位置規制シート２３を前記環状凹溝に挿入することにより、垂直調整用ネジ１３の位置に対する規制を実現することができる。つまり、垂直調整用ネジ１３の長手方向に沿う引張力を発生させる。この引張力がネジの回転方向に垂直になるので、ネジが回転すると、この引張力によってネジのねじ込み摩擦力を増加させることができる。これにより、ネジの回転を効果的に阻止し、垂直調整用ネジ１３の位置を効果的に緩く規制することを実現する。
【００３４】
本実施例は、スライダーベース１に対する調整の安定性をさらに向上させるとともに、スライダーベース１の位置を垂直又は水平方向において調整する時の安定性を確保するために、図９に示す位置規制取付構造を提供する。即ち、レッドドットサイトの後端にスライダーベース１を取り付けるための取付用チャンバー、即ちチャンバー１９の末端の左右の角部のそれぞれには、ネジ穴２４が設置されている。前記ネジ穴２４には、ボルト２５が取り付けられる。また、前記ボルト２５のボルトヘッドには、前記ボルト２５と同軸である接続ネジ穴２６が設置されている。前記接続ネジ穴２６を下部カバー２７における接続ネジ２８とネジ接続することにより、下部に対する遮蔽を実現する。このようにして、ボルト２５のボルトヘッドのエッジがスライダーベース１の底面の内側まで延びることにより、スライダーベース１に対する係止及び位置規制を実現する。
【００３５】
位置規制ブラインドホール１１内には、スライダーベース１の上面に平行な端面を有する垂直コイルバネが設置される。ベース２の他端には、水平調整部材が設置される。前記水平調整部材は、水平ネジ１４と、前記水平ネジ１４にネジ接続される上部ブロック１５とを含む。前記上部ブロック１５は、ベース２の他端と水平ネジ１４との間に設置される。水平ネジ１４のスクリューは、ベース２の他端に垂直になる。
【００３６】
同時に、図７に示す上記の調整機構を含むレッドドットサイトを提供する。前記レッドドットサイトは、図７に示すサポートベース１６を含む。調整機構がサポートベース１６の後端に位置するチャンバー１９に取り付けられる。ベース２の前端面は、押圧機構Ｉによってチャンバー１９の前端面に当接する。水平ネジ１４は、チャンバー１９の一側の外側から内側に向いて前記チャンバー１９内まで延びるとともに、前記チャンバー１９に配置された上部ブロック１５にネジ接続される。垂直調整用ネジ１３は、チャンバー１９の上部の外側から内側に向いてチャンバー１９内までに延びるとともに、ネジ穴１２にネジ接続される。シュート３の長手方向には、内側凹部１７が設置される。また、前記内側凹部１７は、スライダーベース１の上面から下側に向いて前記スライダーベース１の底面まで延びる。ベース２の底面には、長手方向に沿って配列される２つの位置決めピン１８が設置される。また、前記位置決めピン１８は、下側に向いて内側凹部１７の下側エッジまで延びることによって、ベース２がシュート３内において左右に移動する距離を制限することができる。
【００３７】
上記の各実施例に係るＬＥＤ取付マウント及び調整機構により、サポートベースにおけるチャンバーと組み立てることができる。ＬＥＤ取付マウント２に対して単一方向における位置調整を行う過程において、垂直調整用ネジ１３又は水平ネジ１４を回転させることのみによって、スライダーベース１又はベース２の垂直方向又は水平方向における位置に対する変更を実現することができる。当該過程において、ベース２がシュート３を介してスライダーベース１に結合し、そして、押圧機構Ｉ及び押圧機構IIによって常にシュート３と緊密に接触するとともに、チャンバー１９の前端面に緊密に接触するので、調整過程において、ベース２が歪むことなく直線に沿って移動することを確保し、従来技術における調整用バネからの干渉を効果的に回避し、調整の精度、信頼性及び安定性を向上させることができる。
【符号の説明】
【００３８】
１、スライダーベース；２、ベース；３、シュート；４、ブラインドホール；５、コイルバネ；６、中空の係止キャップ；７、スチールボール；８、凹溝；９、位置規制ピン；１０、復帰コイルバネ；１１、位置規制ブラインドホール；１２、ネジ穴；１３、垂直調整用ネジ；１４、水平ネジ；１５、上部ブロック；１６、サポートベース；１７、内側凹部；１８、位置決めピン；１９、チャンバー；２０、ＬＥＤチップ；２１、ベース用ブラインドホール；２２、切欠部；２３、Ｕ字型位置規制シート；２４、ネジ穴；２５、ボルト；２６、接続ネジ穴；２７、下部カバー；２８、ネジ。
【図１】
2021528623.tif 000003
【図２】
2021528623.tif 000004
【図３】
2021528623.tif 000005
【図４】
2021528623.tif 000006
【図５】
2021528623.tif 000007
【図６】
2021528623.tif 000008
【図７】
2021528623.tif 000009
【図８】
2021528623.tif 000010
【図９】
2021528623.tif 000011
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
ＬＥＤ取付マウントであって、
スライダーベース（１）と、
前端面にＬＥＤチップ（２０）が取り付けられるベース（２）と、を含み、
前記ベース（２）は、前記スライダーベース（１）の前端面に配置されるとともに、係合機構により前記スライダーベース（１）の長手方向（Ｌ）に沿って往復移動する
ことを特徴とするＬＥＤ取付マウント。
【請求項２】
前記係合機構は、前記スライダーベース（１）の前端面に設置されるとともに、前記スライダーベース（１）の長手方向に平行なシュート（３）であり、
前記シュート（３）は、一端が閉塞端であり、他端が開放端であり、
前記ベース（２）を前記シュート（３）に配置すると、前記ベース（２）の前端面が前記スライダーベース（１）の前端面と面一をなす
ことを特徴とする請求項１に記載のＬＥＤ取付マウント。
【請求項３】
前記ベース（２）の一端（２０１）と前記閉塞端との間には、復帰コイルバネ（１０）が設置される
ことを特徴とする請求項２に記載のＬＥＤ取付マウント。
【請求項４】
前記シュート（３）の内端面（３−０）には、前記シュート（３）の長手方向に沿って均一に設けられる少なくとも２つのブラインドホール（４）が設置され、
前記ブラインドホール（４）内には、押圧機構Ｉ（Ｔ１）が取り付けられ、
前記押圧機構Ｉ（Ｔ１）は、内側から外側に向って前記ブラインドホール（４）に順次に取り付けられるコイルバネ（５）と、中空の係止キャップ（６）と、前記中空の係止キャップ（６）の前端の出口の内径よりも大きい直径を有するスチールボール（７）と、を含み、
前記スチールボール（７）は、前記中空の係止キャップ（６）の後端から前記中空の係止キャップ（６）に入った後、前記コイルバネ（５）により前記中空の係止キャップ（６）の前端の出口に当接し、
前記スチールボール（７）の球面の一部が前記中空の係止キャップ（６）の前端の出口の外側に露出されることによって、前記ベース（２）の後端面に当接するようになり、
前記ベース（２）の上面には、前記ベース（２）の長手方向に沿って均一に設けられる少なくとも２つの凹溝（８）が設置され、
前記凹溝（８）には、前記押圧機構Ｉ（Ｔ１）と同一の構造を有する押圧機構II（Ｔ２）が取り付けられ、
前記押圧機構II（Ｔ２）は、前記ベース（２）の上面に対向するシュート（３）の内側の上面に当接されて押圧するためのものである
ことを特徴とする請求項２又は３に記載のＬＥＤ取付マウント。
【請求項５】
前記シュート（３）の長手方向には、内側凹部（１７）が設置され、
前記内側凹部（１７）は、前記スライダーベース（１）の上面から下側に向いて前記スライダーベース（１）の底面まで延び、
前記ベース（２）の底面には、長手方向に沿って配列される２つの位置決めピン（１８）が設置され、
前記位置決めピン（１８）は、下側に向いて前記内側凹部（１７）の下側エッジまで延びることによって、前記ベース（２）が前記シュート（３）内において左右に移動する距離を制限する
ことを特徴とする請求項４に記載のＬＥＤ取付マウント。
【請求項６】
前記係合機構は、前記スライダーベース（１）の前端面に設置されるとともに、前記スライダーベース（１）の長手方向に平行なベース用ブラインドホール（２１）であり、
前記ベース用ブラインドホール（２１）の前端面には、前記ベース用ブラインドホール（２１）に挿入される前記ベース（２）の前端面にＬＥＤチップを取り付けるための切欠部（２２）が設置される
ことを特徴とする請求項１に記載のＬＥＤ取付マウント。
【請求項７】
前記ベース（２）の一端と前記ベース用ブラインドホール（２１）の末端との間には、復帰コイルバネ（１０）が設置される
ことを特徴とする請求項６に記載のＬＥＤ取付マウント。
【請求項８】
前記ベース（２）の後端面には、前記後端面に垂直な円柱ピン（２３）が設置され、
前記円柱ピン（２３）に対応する前記ベース用ブラインドホール（２１）の内側壁には、前記円柱ピン（２３）を往復移動させるための溝部（２４）が設置される
ことを特徴とする請求項６又は７に記載のＬＥＤ取付マウント。
【請求項９】
請求項１〜８のいずれか一項に記載のＬＥＤ取付マウントを含む調整機構であって、
前記スライダーベース（１）の上面には、接続線により矩形をなす４つの位置規制ブラインドホール（１１）及び前記矩形の中心に設置されるネジ穴（１２）が設置され、
前記スライダーベース（１）の上面に垂直な垂直調整用ネジ（１３）がネジ穴（１２）にネジ接続され、
前記位置規制ブラインドホール（１１）内には、前記スライダーベース（１）の上面に平行な端面を有する垂直コイルバネ（１１１）が設置され、
前記ベース（２）の他端（２０２）には、水平調整部材が設置され、
前記水平調整部材は、水平ネジ（１４）と、前記水平ネジ（１４）にネジ接続される上部ブロック（１５）と、を含み、
前記上部ブロック（１５）は、前記ベース（２）の他端（２０２）と前記水平ネジ（１４）との間に配置され、
前記水平ネジ（１４）のスクリューは、前記ベース（２）の他端（２０２）に垂直になる
ことを特徴とする調整機構。
【請求項１０】
前記垂直調整用ネジ（１３）のネジの末端の円周方向の側壁には、環状凹溝が設置され、
Ｕ字型位置規制シート（２３）を前記環状凹溝に係合させることにより、前記スライダーベース（１）に対する係止を実現する
ことを特徴とする請求項９に記載の調整機構。
【請求項１１】
請求項９又は１０に記載の調整機構を含むレッドドットサイトであって、
前記レッドドットサイトは、サポートベース（１６）を含み、
前記調整機構は、前記サポートベース（１６）の後端に設けられるチャンバー（１９）に取り付けられ、
前記ベース（２）の前端面は、押圧機構Ｉ（Ｔ１）によって前記チャンバー（１９）の前端面に当接し、
前記水平ネジ（１４）は、前記チャンバー（１９）の一側の外側から前記チャンバー（１９）内まで延びるとともに、前記チャンバー（１９）に配置される上部ブロック（１５）にネジ接続され、
前記垂直調整用ネジ（１３）は、前記チャンバー（１９）の上部の外側から内側に向いて前記チャンバー（１９）内まで延びるとともに、前記ネジ穴（１２）にネジ接続される
ことを特徴とするレッドドットサイト。
【請求項１２】
サポートベース（１６）と、前記サポートベース（１６）の後端に設けられるチャンバー（１９）に取り付けられるＬＥＤ取付マウントとを含むレッドドットサイトであって、
前記ＬＥＤ取付マウントは、スライダーベース（１）と、前端面にＬＥＤチップ（２０）が取り付けられるベース（２）とを含み、
前記チャンバー（１９）の末端の左右の角部のそれぞれには、ネジ穴（２４０）が設置され、
前記ネジ穴（２４０）内には、ボルト（２５）が取り付けられ、
前記ボルト（２５）のボルトヘッドには、前記ボルト（２５）と同軸である接続ネジ穴（２６）が設置され、
前記ボルト（２５）のボルトヘッドのエッジが前記スライダーベース（１）の底面の内側まで延びることにより、前記スライダーベース（１）に対する係止を実現する
ことを特徴とするレッドドットサイト。
【手続補正２】
【補正対象書類名】明細書
【補正対象項目名】０００８
【補正方法】変更
【補正の内容】
【０００８】
前記シュートの内端面には、シュートの長手方向に沿って均一に設けられる少なくとも２つのブラインドホールが設置され、前記ブラインドホールには、押圧機構Ｉ（Ｔ１）が取り付けられている。
【手続補正３】
【補正対象書類名】明細書
【補正対象項目名】０００９
【補正方法】変更
【補正の内容】
【０００９】
前記押圧機構Ｉ（Ｔ１）は、ブラインドホールの内側から外側に向って順次にブラインドホールに取り付けられるコイルバネと、中空の係止キャップと、前記中空の係止キャップの前端の出口の内径よりも大きい直径を有するスチールボールと、を含む。前記スチールボールは、中空の係止キャップの後端から前記中空の係止キャップ内に入った後、コイルバネにより前記中空の係止キャップの前端の出口に当接し、且つ、前記スチールボールの球面の一部が前記中空の係止キャップの前端の出口の外側に露出されることによって、前記ベースの後端面に当接される。
【手続補正４】
【補正対象書類名】明細書
【補正対象項目名】００１０
【補正方法】変更
【補正の内容】
【００１０】
前記ベースの上面には、ベースの長手方向に沿って均一に配置される少なくとも２つの凹溝が設置され、前記凹溝内には、前記押圧機構Ｉ（Ｔ１）と同一の構造を有する押圧機構II（Ｔ２）が取り付けられており、前記押圧機構II（Ｔ２）は、前記ベースの上面に対向するシュートの内側の上面に当接されて押圧するためのものである。
【手続補正５】
【補正対象書類名】明細書
【補正対象項目名】００１７
【補正方法】変更
【補正の内容】
【００１７】
ベースの前端面は、押圧機構Ｉ（Ｔ１）によってチャンバーの前端面に当接し、水平ネジは、前記チャンバーの一側の外側から前記チャンバー内まで延びるとともに、前記チャンバー内に配置された上部ブロックにネジ接続される。
【手続補正６】
【補正対象書類名】明細書
【補正対象項目名】００２３
【補正方法】変更
【補正の内容】
【００２３】
【図１】係合機構がベース用ブラインドホールであるＬＥＤ取付マウント用調整機構の構造の分解模式図である。
【図２】係合機構がシュートであるＬＥＤ取付マウント用調整機構の構造の模式図である。
【図３】隙間除去機構を含むＬＥＤ取付マウント用調整機構の構造を示す模式図である。
【図４】ＬＥＤ取付マウント用調整機構の内側凹部の設置を示す模式図である。
【図５】ベースの他端に設置される位置規制ピン及び復帰コイルバネを示す模式図である。
【図６】係合機構がシュートであるＬＥＤ取付マウント用調整機構が組み立てられた後の模式図である。
【図７】レッドドットサイトの構造を示す模式図である。
【図８】Ｕ字型位置規制シートの設置を示す模式図である。
【図９】ＬＥＤ取付マウントの底部の固定を示す模式図である。
【手続補正７】
【補正対象書類名】明細書
【補正対象項目名】００２４
【補正方法】変更
【補正の内容】
【００２４】
本実施例は、従来のレッドドットサイトに存在する光源の出射方向に対する調整の効率が低く、精度が悪く、信頼性が低いという問題を克服するために、ＬＥＤ取付マウントを提供する。具体的に、図１を参照すると、前記ＬＥＤ取付マウントは、スライダーベース１と、前端面にＬＥＤチップ２０が取り付けられるベース２（ネジを介してＬＥＤチップ２０をベース２に取り付け、そして、ネジを利用してＬＥＤチップ２０に対する微調整を実現する。これにより、ＬＥＤチップ２０の取付精度を確保することができる。）と、を含む。また、前記ベース２は、スライダーベース１の前端面に配置される。また、係合機構によって、前記ベース２をスライダーベース１の長手方向Ｌに沿って往復移動させる。
【手続補正８】
【補正対象書類名】明細書
【補正対象項目名】００２５
【補正方法】変更
【補正の内容】
【００２５】
図１から分かるように、係合機構は、スライダーベース１の前端面に設置されるとともに、前記スライダーベース１の長手方向Ｌに平行なベース用ブラインドホール２１である。また、前記ベース用ブラインドホール２１の前端面には、切欠部２２が設置される。前記切欠部２２は、前記ベース用ブラインドホール２１に挿入される前記ベース２の前端面にＬＥＤチップ２０を容易に取り付けるためのものである。ベース２の一端２０１とベース用ブラインドホール２１の末端との間には、復帰コイルバネ１０が設置される。
【手続補正９】
【補正対象書類名】明細書
【補正対象項目名】００２７
【補正方法】変更
【補正の内容】
【００２７】
図２、図３から分かるように、係合機構は、スライダーベース１の前端面に設置されるとともに、スライダーベース１の長手方向Ｌに平行なシュート３である。また、前記シュート３の一端が閉塞端であり、他端が開放端である。ベース２をシュート３に配置させると、前記ベース２の前端面とスライダーベース１の前端面が面一をなす。ベース２の一端２０１とシュート３の閉塞端との間には、復帰コイルバネ１０が設置される。これにより、このような取付マウントの部品の数が大幅に削減され、且つ、シュート３によりベース２とスライダーベース１との組立を実現することによって、ベース２が左右に移動する時、他の外力からの干渉を受けないことを確保するので、調整の安定性、信頼性及び精度を向上させることができる。
【手続補正１０】
【補正対象書類名】明細書
【補正対象項目名】００２８
【補正方法】変更
【補正の内容】
【００２８】
同時に、組立隙間をさらに低減するために、本実施例におけるシュート３は、図３に示すように、その内端面３−０には、シュート３の長手方向に沿って均一に設置される少なくとも２つのブラインドホール４が設置される。前記ブラインドホール４には、押圧機構Ｉ（Ｔ１）が取り付けられる。前記押圧機構Ｉ（Ｔ１）は、図３に示すように、内側から外側に向ってブラインドホール４に順次に取り付けられるコイルバネ５と、中空の係止キャップ６と、前記中空の係止キャップ６の前端の出口の内径よりも大きい直径を有するスチールボール７とを含む。前記スチールボール７は、中空の係止キャップ６の後端から前記中空の係止キャップ６に入った後、コイルバネ５により前記中空の係止キャップ６の前端の出口に当接される。そして、前記スチールボール７の球面の一部が前記中空の係止キャップ６の前端の出口の外部に露出されることによって、ベース２の後端面に当接することができる。これにより、ベース２が常に当接力を受けることを確保するので、図５に示す押圧コイルバネによってベース２の前端面をチャンバー１９の前端面に当接させることができる。したがって、従来技術のバネの垂直方向における干渉によってＬＥＤ取付マウントがずれて、調整の精度及び信頼性に影響を与えるという問題を効果的に克服することができる。
【手続補正１１】
【補正対象書類名】明細書
【補正対象項目名】００２９
【補正方法】変更
【補正の内容】
【００２９】
図３を参照すると、ベース２の上面には、ベース２の長手方向に沿って均一に配置される少なくとも２つの凹溝８が設置されている。前記凹溝８には、押圧機構Ｉ（Ｔ１）と同じ構造を有する押圧機構II（Ｔ２）が取り付けられている。前記押圧機構II（Ｔ２）は、ベース２の上面に対向するシュート３の内側上面に当接されて押圧するためのものである。このようにして、ベース２を左右に調整する過程において常に下側に向く圧力を受けることを確保するので、隙間の影響による調整偏差を効果的に回避するとともに、調整の安定性、信頼性及び精度を向上させることができる。
【手続補正１２】
【補正対象書類名】明細書
【補正対象項目名】００３０
【補正方法】変更
【補正の内容】
【００３０】
ベース２の一端２０１の端面には、当該端面から突出される位置規制ピン９（図５から明確に分かる。）が設置されている。ベース２の一端２０１と閉塞端との間には、復帰コイルバネ１０が設置される。前記復帰コイルバネ１０は、一端が閉塞端の内側面に当接されて押圧し、他端が位置規制ピン９に外嵌されるとともに、ベース２の一端２０１の端面に当接される。前記復帰コイルバネ１０によって、ＬＥＤの取付位置の水平調整に寄与し、組立隙間を効果的に解消することを実現することができる。
【手続補正１３】
【補正対象書類名】明細書
【補正対象項目名】００３３
【補正方法】変更
【補正の内容】
【００３３】
図８を参照すると、本実施例は、垂直調整用ネジ１３がネジ穴１２を介してスライダーベース１に強固に接続されることを確保するために、垂直調整用ネジ１３のネジの末端、即ちネジ穴１２を介してスライダーベース１の底面にねじ込まれる一端の円周方向の側壁には、環状凹溝が設置されている。Ｕ字型位置規制シート１３０を前記環状凹溝に挿入することにより、垂直調整用ネジ１３の位置に対する規制を実現することができる。つまり、垂直調整用ネジ１３の長手方向に沿う引張力を発生させる。この引張力がネジの回転方向に垂直になるので、ネジが回転すると、この引張力によってネジのねじ込み摩擦力を増加させることができる。これにより、ネジの回転を効果的に阻止し、垂直調整用ネジ１３の位置を効果的に緩く規制することを実現する。
【手続補正１４】
【補正対象書類名】明細書
【補正対象項目名】００３４
【補正方法】変更
【補正の内容】
【００３４】
本実施例は、スライダーベース１に対する調整の安定性をさらに向上させるとともに、スライダーベース１の位置を垂直又は水平方向において調整する時の安定性を確保するために、図９に示す位置規制取付構造を提供する。即ち、レッドドットサイトの後端にスライダーベース１を取り付けるための取付用チャンバー、即ちチャンバー１９の末端の左右の角部のそれぞれには、ネジ穴２４０が設置されている。前記ネジ穴２４０には、ボルト２５が取り付けられる。また、前記ボルト２５のボルトヘッドには、前記ボルト２５と同軸である接続ネジ穴２６が設置されている。前記接続ネジ穴２６を下部カバー２７における接続ネジ２８とネジ接続することにより、下部に対する遮蔽を実現する。このようにして、ボルト２５のボルトヘッドのエッジがスライダーベース１の底面の内側まで延びることにより、スライダーベース１に対する係止及び位置規制を実現する。
【手続補正１５】
【補正対象書類名】明細書
【補正対象項目名】００３５
【補正方法】変更
【補正の内容】
【００３５】
位置規制ブラインドホール１１内には、スライダーベース１の上面に平行な端面を有する垂直コイルバネ１１１が設置される。ベース２の他端２０２には、水平調整部材が設置される。前記水平調整部材は、水平ネジ１４と、前記水平ネジ１４にネジ接続される上部ブロック１５とを含む。前記上部ブロック１５は、ベース２の他端２０２と水平ネジ１４との間に設置される。水平ネジ１４のスクリューは、ベース２の他端２０２に垂直になる。
【手続補正１６】
【補正対象書類名】明細書
【補正対象項目名】００３６
【補正方法】変更
【補正の内容】
【００３６】
同時に、図７に示す上記の調整機構を含むレッドドットサイトを提供する。前記レッドドットサイトは、図７に示すサポートベース１６を含む。調整機構がサポートベース１６の後端に位置するチャンバー１９に取り付けられる。ベース２の前端面は、押圧機構Ｉ（Ｔ１）によってチャンバー１９の前端面に当接する。水平ネジ１４は、チャンバー１９の一側の外側から内側に向いて前記チャンバー１９内まで延びるとともに、前記チャンバー１９に配置された上部ブロック１５にネジ接続される。垂直調整用ネジ１３は、チャンバー１９の上部の外側から内側に向いてチャンバー１９内までに延びるとともに、ネジ穴１２にネジ接続される。シュート３の長手方向には、内側凹部１７が設置される。また、前記内側凹部１７は、スライダーベース１の上面から下側に向いて前記スライダーベース１の底面まで延びる。ベース２の底面には、長手方向に沿って配列される２つの位置決めピン１８が設置される。また、前記位置決めピン１８は、下側に向いて内側凹部１７の下側エッジまで延びることによって、ベース２がシュート３内において左右に移動する距離を制限することができる。
【手続補正１７】
【補正対象書類名】明細書
【補正対象項目名】００３７
【補正方法】変更
【補正の内容】
【００３７】
上記の各実施例に係るＬＥＤ取付マウント及び調整機構により、サポートベースにおけるチャンバーと組み立てることができる。ＬＥＤ取付マウントに対して単一方向における位置調整を行う過程において、垂直調整用ネジ１３又は水平ネジ１４を回転させることのみによって、スライダーベース１又はベース２の垂直方向又は水平方向における位置に対する変更を実現することができる。当該過程において、ベース２がシュート３を介してスライダーベース１に結合し、そして、押圧機構Ｉ（Ｔ１）及び押圧機構II（Ｔ２）によって常にシュート３と緊密に接触するとともに、チャンバー１９の前端面に緊密に接触するので、調整過程において、ベース２が歪むことなく直線に沿って移動することを確保し、従来技術における調整用バネからの干渉を効果的に回避し、調整の精度、信頼性及び安定性を向上させることができる。
【手続補正１８】
【補正対象書類名】明細書
【補正対象項目名】００３８
【補正方法】変更
【補正の内容】
【００３８】
１、スライダーベース；２、ベース；３、シュート；４、ブラインドホール；５、コイルバネ；６、中空の係止キャップ；７、スチールボール；８、凹溝；９、位置規制ピン；１０、復帰コイルバネ；１１、位置規制ブラインドホール；１２、ネジ穴；１３、垂直調整用ネジ；１４、水平ネジ；１５、上部ブロック；１６、サポートベース；１７、内側凹部；１８、位置決めピン；１９、チャンバー；２０、ＬＥＤチップ；２１、ベース用ブラインドホール；２２、切欠部；２３、円柱ピン；２４、溝部；２５、ボルト；２６、接続ネジ穴；２７、下部カバー；２８、ネジ；１１１、垂直コイルバネ；１３０、Ｕ字型位置規制シート；２４０、ネジ穴。
【手続補正１９】
【補正対象書類名】図面
【補正対象項目名】図１
【補正方法】変更
【補正の内容】
【図１】
2021528623.tif 000012
【手続補正２０】
【補正対象書類名】図面
【補正対象項目名】図２
【補正方法】変更
【補正の内容】
【図２】
2021528623.tif 000013
【手続補正２１】
【補正対象書類名】図面
【補正対象項目名】図３
【補正方法】変更
【補正の内容】
【図３】
2021528623.tif 000014
【手続補正２２】
【補正対象書類名】図面
【補正対象項目名】図４
【補正方法】変更
【補正の内容】
【図４】
2021528623.tif 000015
【手続補正２３】
【補正対象書類名】図面
【補正対象項目名】図６
【補正方法】変更
【補正の内容】
【図６】
2021528623.tif 000016
【手続補正２４】
【補正対象書類名】図面
【補正対象項目名】図８
【補正方法】変更
【補正の内容】
【図８】
2021528623.tif 000017
【手続補正２５】
【補正対象書類名】図面
【補正対象項目名】図９
【補正方法】変更
【補正の内容】
【図９】
2021528623.tif 000018
【国際調査報告】
2021528623.tif 000019
2021528623.tif 000020
2021528623.tif 000021
2021528623.tif 000022